(57)【要約】【課題】  コーナー部の納まりが良好で且つ浴槽の調整レベルを施工後も保持することのできる浴槽用目地部材。【解決手段】  浴槽（２）と浴室壁面（３）との間に水が浸入するのを防止する目地部材（１）。本発明の浴槽用目地部材は、浴槽の上端面（２ａ）に当接した状態で浴室壁面に取り付けられるベース部材（１１）と、ベース部材と係合可能に構成された目地部材本体（１２）とを備えている。目地部材本体は、ベース部材と係合するための係合部（１２ａ）と、ベース部材との係合状態において一端（１２ａ）が浴槽の内側面（２ｂ）に押し付けられた変形状態で当接し且つ他端（１２ｂｂ）が浴室壁面に押し付けられた変形状態で当接する変形部（１２ｂ）とを有する。【選択図】  図２
2005253525.tif 000002
【特許請求の範囲】
【請求項１】
浴槽と浴室壁面との間に水が浸入するのを防止する目地部材において、
前記浴槽の上端面に当接した状態で前記浴室壁面に取り付けられるベース部材と、
前記ベース部材と係合可能に構成された目地部材本体とを備え、
前記目地部材本体は、前記ベース部材と係合するための係合部と、前記ベース部材との係合状態において一端が前記浴槽の内側面に押し付けられた変形状態で当接し且つ他端が前記浴室壁面に押し付けられた変形状態で当接する変形部とを有することを特徴とする目地部材。
【請求項２】
前記係合部と前記変形部とは一体的に形成されていることを特徴とする請求項１に記載の目地部材。
【請求項３】
前記ベース部材および前記係合部は硬質樹脂により形成され、
前記変形部は軟質樹脂により形成されていることを特徴とする請求項１または２に記載の目地部材。
【請求項４】
前記変形部は円弧状の断面を有することを特徴とする請求項１乃至３のいずれか１項に記載の目地部材。
【請求項５】
前記目地部材は、前記浴槽を前記浴室壁面に固定することを特徴とする請求項１乃至４のいずれか１項に記載の目地部材。
【発明の詳細な説明】
【技術分野】
【０００１】
本発明は、浴槽用の目地部材に関し、特に浴槽と浴室壁面との間に水が浸入するのを防止する目地部材に関するものである。
【背景技術】
【０００２】
従来、たとえばユニットバスにおいて浴槽と浴室壁面との間に僅かな隙間が生じるので、この隙間に水が浸入するのを防止するためにコーキング剤の充填により隙間を塞ぐ工法が採用されていた。
【発明の開示】
【発明が解決しようとする課題】
【０００３】
しかしながら、コーキング剤を充填する湿式工法は、施工に手間がかかり、且つ施工に熟練を要するという不都合があった。また、コーキング剤により形成された目地は経時的な劣化により割れ易く、かびが生え易いという不都合があった。
【０００４】
そこで、コーキング剤を充填する湿式工法に代えて、浴槽と浴室壁面との間に化粧目地部材を介在させることにより水が浸入するのを防止する乾式工法が考えられる。一般に、乾式工法による目地部材には、コーナー部の納まりが良いこと、施工時のレベル調整後に浴槽の調整レベルを保持することなどが求められる。
【０００５】
本発明は、前述の課題に鑑みてなされたものであり、コーナー部の納まりが良好で且つ浴槽の調整レベルを施工後も保持することのできる浴槽用目地部材を提供することを目的とする。
【課題を解決するための手段】
【０００６】
前記課題を解決するために、本発明では、浴槽と浴室壁面との間に水が浸入するのを防止する目地部材において、
前記浴槽の上端面に当接した状態で前記浴室壁面に取り付けられるベース部材と、
前記ベース部材と係合可能に構成された目地部材本体とを備え、
前記目地部材本体は、前記ベース部材と係合するための係合部と、前記ベース部材との係合状態において一端が前記浴槽の内側面に押し付けられた変形状態で当接し且つ他端が前記浴室壁面に押し付けられた変形状態で当接する変形部とを有することを特徴とする目地部材を提供する。
【０００７】
本発明の好ましい態様によれば、前記係合部と前記変形部とは一体的に形成されている。また、前記ベース部材および前記係合部は硬質樹脂により形成され、前記変形部は軟質樹脂により形成されていることが好ましい。また、前記変形部は円弧状の断面を有することが好ましい。また、前記目地部材は、前記浴槽を前記浴室壁面に固定することが好ましい。
【発明の効果】
【０００８】
本発明の目地部材は、浴槽の上端面に当接した状態で浴室壁面に取り付けられるベース部材と、ベース部材と係合可能に構成された目地部材本体とを備えている。そして、目地部材本体は、ベース部材と係合するための係合部と、ベース部材との係合状態において一端が浴槽の内側面に押し付けられた変形状態で当接し且つ他端が浴室壁面に押し付けられた変形状態で当接する変形部とを有する。
【０００９】
以上のように、本発明の目地部材は、ベース部材と目地部材本体とを備えた２ピース型の化粧目地部材である。したがって、浴槽のコーナー部においてベース部材および目地部材本体を軸線方向（長手方向）に対して４５度にそれぞれ切断し、切断面同士を合わせた状態に取り付けることにより目地部材のコーナー部を納まり良く施工することができる。
【００１０】
また、ベース部材が浴槽の上端面に当接した状態で浴室壁面に取り付けられるので、ベース部材の当接作用により浴槽の調整レベルを施工後も保持することができる。こうして、本発明では、コーナー部の納まりが良好で且つ浴槽の調整レベルを施工後も保持することのできる浴槽用目地部材を実現することができる。
【００１１】
なお、本発明では、係合部と変形部とを一体的に形成することが好ましい。この構成により、目地部材の部材数を２つに抑えて簡素な構成を実現することができるだけでなく、たとえばベース部材に係合部をワンタッチ係合させるだけで変形部を所望の形態に変形させて取り付けることが可能になるので施工性の向上を実現することができる。
【００１２】
また、本発明では、ベース部材および係合部を硬質樹脂により形成し、変形部を軟質樹脂により形成することが好ましい。この構成により、ベース部材の浴槽に対する当接作用の強化、ベース部材と係合部との係合作用の強化、および変形部の変形能力の強化などを図ることができる。
【００１３】
また、本発明では、変形部が円弧状の断面を有することが好ましい。この構成により、変形部の一端と浴槽の内側面との間および変形部の他端と浴室壁面との間に充分な押接力を発生させて、水の浸入を確実に防止することができる。
【発明を実施するための最良の形態】
【００１４】
本発明の実施形態を、添付図面に基づいて説明する。
図１は、本発明の第１実施形態にかかる目地部材を構成するベース部材および目地部材本体の構成を概略的に示す図である。また、図２は、第１実施形態にかかる目地部材を浴槽と浴室壁面との間に取り付けた状態を概略的に示す図である。
【００１５】
第１実施形態の目地部材１は、図１（ａ）に示す形態を有するベース部材１１と、図１（ｂ）に示す形態を有する目地部材本体１２とにより構成されている。ベース部材１１は、図２に示すように浴槽２の上端面２ａに当接した状態で浴室壁面３に取り付けられる部材であって、たとえばタルク入りＰＰ（ポリプロピレン）のような硬質樹脂により形成されている。
【００１６】
ベース部材１１には、取り付け状態においてほぼ水平に浴槽側に向かって突出する２つの突出部１１ａおよび１１ｂが設けられている。一方、目地部材本体１２は、ベース部材１１と係合するための係合部１２ａと、円弧状の断面を有する変形部１２ｂとにより一体的に形成されている。ベース部材１１と係合部１２ａとの係合状態では、ベース部材１１の上端部１１ｃと係合部１２ａの下端部１２ａａとが係合する。
【００１７】
変形部１２ｂは、図２に示すように、目地部材本体１２とベース部材１１との係合状態において、その一端１２ｂａが浴槽２の内側面２ｂに押し付けられた変形状態で当接し、その他端１２ｂｂが浴室壁面３に押し付けられた変形状態で当接するように構成されている。係合部１２ａは、ベース部材１１と同様に、たとえばタルク入りＰＰのような硬質樹脂により形成されている。また、変形部１２ｂは、たとえばオレフィン系エラストマーのような軟質樹脂により形成されている。
【００１８】
以下、図２を参照して、第１実施形態にかかる目地部材１を浴槽２と浴室壁面３との間に取り付ける手順について簡単に説明する。第１実施形態では、浴室壁面３と接する側に垂下壁を有しない形態の浴槽２の設置に際して、浴槽２の周辺部がベース部材１１の２つの突出部１１ａと１１ｂとの間に入り込むような状態で浴槽２と浴室壁面３との間にベース部材１１を挟んだまま、浴槽２のレベル調整を行う。
【００１９】
次いで、浴槽２のレベル調整後に、ビス４のような締結手段を用いてベース部材１１を浴室壁面３に取り付ける。こうして、突出部１１ａが浴槽２の上端面２ａに当接した状態でベース部材１１が浴室壁面３に取り付けられたことになる。最後に、変形部１２ｂの一端１２ｂａの内側面が浴槽２の内側面２ｂに当接し且つ変形部１２ｂの他端１２ｂｂの内側面が浴室壁面３に当接するような姿勢を保ちつつ、ベース部材１１の上端部１１ｃと浴室壁面３との間に係合部１２ａの下端部１２ａａを挿入する。
【００２０】
その結果、図２に示すように、目地部材本体１２がベース部材１１にスナップ係合し、変形部１２ｂの一端１２ｂａが浴槽２の内側面２ｂに押し付けられた変形状態で当接するとともに、変形部１２ｂの他端１２ｂｂが浴室壁面３に押し付けられた変形状態で当接する状態が得られる。こうして、目地部材１が浴槽２と浴室壁面３との間に取り付けられた状態において、変形部１２ｂの閉塞作用により浴槽２と浴室壁面３との間への水の浸入が防止される。
【００２１】
以上のように、第１実施形態の目地部材１は、ベース部材１１と目地部材本体１２とにより構成された２ピース型の化粧目地部材である。したがって、浴槽２のコーナー部においてベース部材１１および目地部材本体１２を軸線方向（長手方向）に対して４５度にそれぞれ切断し、切断面同士を合わせた状態に取り付けることにより目地部材１のコーナー部を納まり良く施工することができる。
【００２２】
また、第１実施形態では、ベース部材１１が浴槽２の上端面２ａに当接した状態で浴室壁面３に取り付けられているので、ベース部材１１の当接作用により浴槽２の調整レベルを施工後も保持する（すなわち浴槽２を浴室壁面３に固定する）ことができる。また、第１実施形態では、係合部１２ａと変形部１２ｂとが一体的に形成されているので、目地部材１の部材数を２つに抑えて簡素な構成を実現することができる。さらに、ベース部材１１に係合部１２ａを係合させるだけで変形部１２ｂを所望の形態に変形させて取り付けることが可能になるので施工性が向上する。
【００２３】
また、第１実施形態では、たとえばタルク入りＰＰのような硬質樹脂によりベース部材１１および係合部１２ａを形成し、たとえばオレフィン系エラストマーのような軟質樹脂により変形部１２ｂを形成しているので、ベース部材１１の浴槽２に対する当接作用の強化、ベース部材１１と係合部１２ａとの係合作用の強化、変形部１２ｂの変形能力の強化などを図ることができる。
【００２４】
また、第１実施形態では、変形部１２ｂが円弧状の断面を有するので、変形部１２ｂの一端１２ｂａと浴槽２の内側面２ｂとの間および変形部１２ｂの他端１２ｂｂと浴室壁面３との間に充分な押接力を発生させて、水の浸入を確実に防止することができる。
【００２５】
図３は、本発明の第２実施形態にかかる目地部材を構成するベース部材および目地部材本体の構成を概略的に示す図である。また、図４は、第２実施形態にかかる目地部材を浴槽と浴室壁面との間に取り付けた状態を概略的に示す図である。
【００２６】
第２実施形態にかかる目地部材は、第１実施形態にかかる目地部材と類似の構成を有する。しかしながら、第２実施形態では、ベース部材１１の浴槽２に対する当接形態およびベース部材１１と係合部１２ａとの係合形態が第１実施形態と相違している。以下、第１実施形態との相違点に着目して第２実施形態を説明する。
【００２７】
図３および図４を参照すると、第２実施形態にかかる目地部材１を構成するベース部材１１には、その取り付け状態において浴槽２の上端面２ａと当接する形態の当接部１１ｄが設けられている。また、ベース部材１１の上端には、係合部１２ａの下端部１２ａａが嵌合する形態の嵌合部１１ｅが設けられている。すなわち、ベース部材１１と係合部１２ａとの係合状態では、ベース部材１１の嵌合部１１ｅの中に係合部１２ａの下端部１２ａａが入り込んで嵌合する。
【００２８】
第２実施形態では、浴槽２の設置およびレベル調整に先立って、ビス４のような締結手段を用いてベース部材１１を浴室壁面３に取り付ける。このとき、ベース部材１１は、その当接部１１ｄの下側面が浴槽２の上端面２ａの所定レベルとほぼ一致するように位置決めされる。次いで、浴槽２を所定位置に設置してレベル調整を行う。こうして、浴室壁面３に取り付けられたベース部材１１の当接部１１ｄが浴槽２の上端面２ａに当接した状態が得られる。
【００２９】
最後に、変形部１２ｂの一端１２ｂａの内側面が浴槽２の内側面２ｂに当接し且つ変形部１２ｂの他端１２ｂｂの内側面が浴室壁面３に当接するような姿勢を保ちつつ、ベース部材１１の嵌合部１１ｅへ係合部１２ａの下端部１２ａａを挿入する。その結果、図４に示すように、目地部材本体１２がベース部材１１にスナップ係合し、変形部１２ｂの一端１２ｂａが浴槽２の内側面２ｂに押し付けられた変形状態で当接するとともに、変形部１２ｂの他端１２ｂｂが浴室壁面３に押し付けられた変形状態で当接する状態が得られる。
【００３０】
こうして、目地部材１が浴槽２と浴室壁面３との間に取り付けられた状態において、変形部１２ｂの閉塞作用により浴槽２と浴室壁面３との間への水の浸入が防止される。以上のように、第２実施形態においても、第１実施形態と同様の効果を得ることができ、ひいてはコーナー部の納まりが良好で且つ浴槽の調整レベルを施工後も保持する（すなわち浴槽２を浴室壁面３に固定する）ことのできる浴槽用目地部材を実現することができる。
【図面の簡単な説明】
【００３１】
【図１】本発明の第１実施形態にかかる目地部材を構成するベース部材および目地部材本体の構成を概略的に示す図である。
【図２】第１実施形態にかかる目地部材を浴槽と浴室壁面との間に取り付けた状態を概略的に示す図である。
【図３】本発明の第２実施形態にかかる目地部材を構成するベース部材および目地部材本体の構成を概略的に示す図である。
【図４】第２実施形態にかかる目地部材を浴槽と浴室壁面との間に取り付けた状態を概略的に示す図である。
【符号の説明】
【００３２】
１  目地部材
１１  ベース部材
１２  目地部材本体
１２ａ  係合部
１２ｂ  変形部
２  浴槽
２ａ  浴槽の上端面
２ｂ  浴槽の内側面
３  浴室壁面
４  ビス
【図１】
2005253525.tif 000003
【図２】
2005253525.tif 000004
【図３】
2005253525.tif 000005
【図４】
2005253525.tif 000006